(57)【要約】【課題】ラックに収容されている被検出物の抜き取り又は差し込みを感知する被検出物抜き差し感知システムを提供する。【解決手段】被検出物抜き差し感知システム２は、被検出物抜き差し感知等の処理を行うＰＣ４を備えている。このＰＣ４において、被検出物を収容するラックの各収容部に対応して設けられたＲＦＩＤタグ配置部材１４の各タグ収容凹部１４ａ毎に収容された第１ＲＦＩＤタグ１２に記憶されている位置情報を、ラックの収容部に被検出物が収容されていない場合に、第１アンテナ１０を介して受信する。また、被検出物が収容されている収容部の位置に対応させて第２ＲＦＩＤタグ１８に記憶されている被検出物情報を第２アンテナ１６を介して受信する。そして、受信した位置情報と被検出物情報の照合を行い、照合した結果を出力部２４に出力する。【選択図】　図１
2004028595.tif 000002
【特許請求の範囲】
【請求項１】
被検出物を収容するラックの各収容部に対応して設けられた複数のＲＦＩＤタグ配置部を有するＲＦＩＤタグ配置部材と、
前記ＲＦＩＤタグ配置部毎に配置され、該ＲＦＩＤタグ配置部の前記ラック上における位置情報を記憶し、前記被検出物により遮断される状態で前記位置情報を送信する複数のＲＦＩＤタグと、
前記ＲＦＩＤタグから送信される前記位置情報を受信するアンテナと、
前記アンテナにより受信された前記位置情報に基づいて、前記ラックの各収容部に収容されている前記被検出物の有無を検出する検出手段と
を備えることを特徴とする被検出物感知システム。
【請求項２】
前記ＲＦＩＤタグ配置部材は、金属製の部材により構成され、
前記ＲＦＩＤタグ配置部には、タグ収容凹部が形成され、
前記タグ収容凹部の各々に前記ＲＦＩＤタグが収容されていることを特徴とする請求項１記載の被検出物感知システム。
【請求項３】
前記ＲＦＩＤタグは、マイクロ波方式のＲＦＩＤタグであることを特徴とする請求項１又は請求項２記載の被検出物感知システム。
【請求項４】
被検出物を収容するラックの各収容部に対応して設けられた複数のＲＦＩＤタグ配置部を有するＲＦＩＤタグ配置部材と、
前記ＲＦＩＤタグ配置部毎に配置され、該ＲＦＩＤタグ配置部の前記ラック上における位置情報を記憶し、前記被検出物により遮断される状態で前記位置情報を送信する複数の第１ＲＦＩＤタグと、
前記第１ＲＦＩＤタグから送信される前記位置情報を受信する第１アンテナと、
前記ラックの各収容部に収容されている前記被検出物に関する被検出物情報を、該被検出物が収容されている該収容部の位置に対応させて記憶する記憶手段と、
前記第１アンテナにより受信された前記位置情報と前記記憶手段に記憶されている前記被検出物情報とを照合する照合手段と、
前記照合手段により照合された結果を出力する出力手段と
を備えることを特徴とする被検出物抜き差し感知システム。
【請求項５】
前記ＲＦＩＤタグ配置部材は、金属製の部材により構成され、
前記ＲＦＩＤタグ配置部には、タグ収容凹部が形成され、
前記タグ収容凹部の各々に前記第１ＲＦＩＤタグが収容されていることを特徴とする請求項４記載の被検出物抜き差し感知システム。
【請求項６】
前記記憶手段は、第２ＲＦＩＤタグにより構成され、
前記第２ＲＦＩＤタグとの間で前記被検出物情報を送受信する第２アンテナを更に備え、
前記照合手段は、前記第１アンテナにより受信された前記位置情報と前記第２アンテナにより受信された前記被検出物情報とを照合することを特徴とする請求項４又は請求項５記載の被検出物抜き差し感知システム。
【請求項７】
前記第２ＲＦＩＤタグは、前記ラックの外側面に設置されていることを特徴とする請求項６記載の被検出物抜き差し感知システム。
【請求項８】
前記第２ＲＦＩＤタグは、電磁誘導方式のＲＦＩＤタグであることを特徴とする請求項６又は請求項７記載の被検出物抜き差し感知システム。
【請求項９】
前記第１ＲＦＩＤタグは、マイクロ波方式のＲＦＩＤタグであることを特徴とする請求項４〜請求項８の何れか一項に記載の被検出物抜き差し感知システム。
【発明の詳細な説明】
【０００１】
【発明の属する技術分野】
この発明は、ラックの収容部に収容されている被検出物の有無を検出する被検出物感知システム及びラックの収容部に収容されている被検出物の抜き取り又は差し込みを感知する被検出物抜き差し感知システムに関するものである。
【０００２】
【従来の技術】
従来、被検出物、例えば、血液、血漿、血清等の検体を収容する検体容器は、検体の検査等を行う検査機関に搬送され、検査機関において受付処理が行われた後にラックに収容して保管される。即ち、まず、受付処理、例えば、検査機関に搬送された検体を収容した検体容器に、検体番号、受付日等を含む情報を記載したラベル等の貼り付けが行われる。次に、受付処理が行われた検体は、ラックに収容され、例えば、ラックの収容部の位置番号とそのラックに保管されている検体の検体情報等を対応させることによって検体の検査や検体の保管等の管理が行われる。
【０００３】
ラックに保管されている検体は、再検査や廃棄を指示された場合には、ラックから抜き取られ、再検査や廃棄が行われる。また、検査が終了し、再検査等に備えて保管を指示された場合には、ラックに差し込まれ保管される。なお、ラックから検体を抜き取る際に、抜き取りを指示された検体か否かの確認は、ラベルに記載されている検体番号等の目視により行われている。また、検体を差し込む際に、検体を差し込むラックの収容部の確認は、ラックの収容部の位置番号の目視により行われている。
【０００４】
【発明が解決しようとする課題】
ところで、抜き取る検体を目視で確認していることにより、本来抜き取るべき検体と異なる検体を抜き取ってしまうという抜き取りミスが生じる場合がある。検体の抜き取りミスが生じた場合、再検査に誤りが生じ、医療機関から返却を要求された場合には、返却する検体に誤りを生じてしまう等の問題が発生する。
【０００５】
また、検体を差し込むラックの収容部を目視で確認していることにより、検体を差し込むべき収容部の確認ミス、即ち、指示された収容部と異なる収容部に検体を差し込んでしまう場合がある。このような確認ミスが生じた場合、位置番号に対応させて記憶されている検体情報と実際に収容されている検体との不一致、又は、検体を収容すべきラックと異なるラックに検体が収容されてしまう検体の混入等の問題が発生する。
【０００６】
この発明の課題は、ラックに収容されている被検出物の有無の確認を迅速に行う被検出物感知システム及びラックに収容されている被検出物の抜き取り又は差し込みを防止する被検出物抜き差し感知システムを提供することである。
【０００７】
【課題を解決するための手段】
請求項１記載の被検出物感知システムは、被検出物を収容するラックの各収容部に対応して設けられた複数のＲＦＩＤタグ配置部を有するＲＦＩＤタグ配置部材と、前記ＲＦＩＤタグ配置部毎に配置され、該ＲＦＩＤタグ配置部の前記ラック上における位置情報を記憶し、前記被検出物により遮断される状態で前記位置情報を送信する複数のＲＦＩＤタグと、前記ＲＦＩＤタグから送信される前記位置情報を受信するアンテナと、前記アンテナにより受信された前記位置情報に基づいて、前記ラックの各収容部に収容されている前記被検出物の有無を検出する検出手段とを備えることを特徴とする。
【０００８】
この請求項１記載の被検出物感知システムによれば、ＲＦＩＤタグとアンテナの間に被検出物を収容したラックを、ラックの各収容部の位置と各ＲＦＩＤタグ配置部のラック上における位置情報とが一致するように配置することにより、被検出物の有無を検出することができる。即ち、ラックの収容部に被検出物が収容されている場合には、被検出物の存在によりＲＦＩＤタグからの位置情報の送信が遮断される。一方、ラックの収容部に被検出物が収容されていない場合には、ＲＦＩＤタグからの位置情報の送信が遮断されず、アンテナにより位置情報が受信される。従って、ＲＦＩＤタグから位置情報が送信されたか否かにより、収容部に収容されている被検出物の有無を検出することができる。
【０００９】
また、請求項２記載の被検出物感知システムは、前記ＲＦＩＤタグ配置部材が、金属製の部材により構成され、前記ＲＦＩＤタグ配置部には、タグ収容凹部が形成され、前記タグ収容凹部の各々に前記ＲＦＩＤタグが収容されていることを特徴とする。
【００１０】
この請求項２記載の被検出物感知システムによれば、隣接する複数のＲＦＩＤタグから位置情報が送信される場合であっても、各ＲＦＩＤタグから送信される電波等が金属性の部材により遮断されるため、各ＲＦＩＤ間での電波等の干渉を防止することができる。
【００１１】
また、請求項３記載の被検出物感知システムは、前記ＲＦＩＤタグが、マイクロ波方式のＲＦＩＤタグであることを特徴とする。この請求項３記載の被検出物感知システムによれば、マイクロ波方式のＲＦＩＤタグを用いて被検出物の有無を検出している。即ち、マイクロ波方式のＲＦＩＤタグは、アンテナとＲＦＩＤタグの間に液体が存在すると電波の送信が遮断されるため、被検出物が液体である場合に、ラックの収容部に収容されている被検出物の有無を検出することができる。
【００１２】
また、請求項４記載の被検出物抜き差し感知システムは、被検出物を収容するラックの各収容部に対応して設けられた複数のＲＦＩＤタグ配置部を有するＲＦＩＤタグ配置部材と、前記ＲＦＩＤタグ配置部毎に配置され、該ＲＦＩＤタグ配置部の前記ラック上における位置情報を記憶し、前記被検出物により遮断される状態で前記位置情報を送信する複数の第１ＲＦＩＤタグと、前記第１ＲＦＩＤタグから送信される前記位置情報を受信する第１アンテナと、前記ラックの各収容部に収容されている前記被検出物に関する被検出物情報を、該被検出物が収容されている該収容部の位置に対応させて記憶する記憶手段と、前記第１アンテナにより受信された前記位置情報と前記記憶手段に記憶されている前記被検出物情報とを照合する照合手段と、前記照合手段により照合された結果を出力する出力手段とを備えることを特徴とする。
【００１３】
この請求項４記載の被検出物抜き差し感知システムによれば、第１アンテナを介して受信された第１ＲＦＩＤタグからの位置情報と、ラックの各収容部に収容されている被検出物の被検出物情報とを照合している。即ち、被検出物が収容されていないラックの収容部が存在する場合に、そのラックの収容部の位置に対応させて被検出物情報が記憶されている場合には、被検出物の抜き取りが行われたことを感知することができる。また、ラックの収容部の位置に対応させて被検出物情報が記憶されていない場合に、そのラックの収容部に被検出物が収容されている場合には、被検出物の差し込みが行われたことを感知することができる。
【００１４】
また、請求項５記載の被検出物抜き差し感知システムは、前記ＲＦＩＤタグ配置部材が、金属製の部材により構成され、前記ＲＦＩＤタグ配置部には、タグ収容凹部が形成され、前記タグ収容凹部の各々に前記第１ＲＦＩＤタグが収容されていることを特徴とする。
【００１５】
この請求項５記載の被検出物抜き差し感知システムによれば、金属製の部材により構成されたＲＦＩＤタグ配置部材のタグ収容凹部の各々にＲＦＩＤタグが収容されている。そのため、隣接する複数のＲＦＩＤタグ間での電波等の干渉を防止することができる。
【００１６】
また、請求項６記載の被検出物抜き差し感知システムは、前記記憶手段が、第２ＲＦＩＤタグにより構成され、前記第２ＲＦＩＤタグとの間で前記被検出物情報を送受信する第２アンテナを更に備え、前記照合手段は、前記第１アンテナにより受信された前記位置情報と前記第２アンテナにより受信された前記被検出物情報とを照合することを特徴とする。
【００１７】
この請求項６記載の被検出物抜き差し感知システムによれば、被検出物情報を第２ＲＦＩＤタグに記憶させ、この第２ＲＦＩＤタグとの間で被検出物情報を送受信する第２アンテナを備えている。従って、第２ＲＦＩＤタグに記憶された被検出物情報を第２アンテナにより受信することができると共に、被検出物情報が更新された場合に、更新された被検出物情報を第２アンテナを介して第２ＲＦＩＤタグに送信し、記憶させることができる。
【００１８】
また、請求項７記載の被検出物抜き差し感知システムは、前記第２ＲＦＩＤタグが、前記ラックの外側面に設置されていることを特徴とする。この請求項７記載の被検出物抜き差し感知システムによれば、ラックの収容部に収容されている被検出物の被検出物情報が、ラックの外側面に設置された第２ＲＦＩＤタグに記憶されているため、ラック単位で容易に被検出物情報の管理を行うことができる。
【００１９】
また、請求項８記載の被検出物抜き差し感知システムは、前記第２ＲＦＩＤタグが、電磁誘導方式のＲＦＩＤタグであることを特徴とする。この請求項８記載の被検出物抜き差し感知システムによれば、第２ＲＦＩＤタグが電磁誘導方式であるため、記憶容量が大きく、ラックの各収容部に収容されている被検出物の被検出物情報を一つの第２ＲＦＩＤタグに記憶させることができる。
【００２０】
また、請求項９記載の被検出物抜き差し感知システムは、前記第１ＲＦＩＤタグが、マイクロ波方式のＲＦＩＤタグであることを特徴とする。この請求項９記載の被検出物抜き差し感知システムによれば、被検出物が液体である場合に、ラックの収容部に収容されている被検出物の有無を検出することができる。
【００２１】
【発明の実施の形態】
以下、図面を参照して、この発明の実施の形態に係る抜き差し感知システムについて説明する。なお、以下においては、被検出物が、血液、血漿、血清等の検体を収容する検体容器である場合を例として説明する。
【００２２】
図１は、この発明の実施の形態に係る抜き差し感知システムのブロック構成図である。抜き差し感知システム２は、医療機関等において採取された検体の検査を行う検査機関等に設置されている。この抜き差し感知システム２は、検体の抜き差し感知等の処理を行うパーソナルコンピュータ４（以下、「ＰＣ４」）を備えている。このＰＣ４には、検体が収容された検体容器に貼り付けられているバーコードラベルに記録されている検体情報（被検出物情報）を読み取るバーコードリーダ６、検体の受付処理や検査の管理等を行う基幹システム等との間の通信を制御する通信制御部８が接続されている。また、ＰＣ４には、第１ＲＦＩＤ（Ｒａｄｉｏ　Ｆｒｅｑｕｅｎｃｙ　Ｉｄｅｎｔｉｆｉｃａｔｉｏｎ）タグ１２から送信される検体情報を受信する第１アンテナ１０及び第２ＲＦＩＤタグ１８から送信される位置情報を受信する第２アンテナ１６が接続されている。
【００２３】
第１アンテナ１０は、第１ＲＦＩＤタグ１２に記憶されている位置情報、即ち、ラックの各収容部に対応してＲＦＩＤタグ配置部材１４に設けられた複数のタグ収容凹部１４ａのラック上における位置情報を受信する。また、第２アンテナ１６は、第２ＲＦＩＤタグ１８に記憶されている検体情報、即ち、ラックに収容されている検体の検体情報を第２ＲＦＩＤタグ１８から受信すると共に、ＰＣ４に入力された検体情報を第２ＲＦＩＤタグに送信する。
【００２４】
ＰＣ４は、検体の抜き差し感知等の処理を行うデータ処理部２０を備え、このデータ処理部２０には、バーコードリーダ６又は通信制御部８を介して入力された検体情報、第１アンテナ１０を介して受信された位置情報及び第２アンテナ１６を介して受信されたラックの収容部に収容されている検体の検体情報等を記憶するデータ記憶部２２が接続されている。また、データ処理部２０には、第１アンテナ１０を介して受信された位置情報と第２アンテナ１６を介して受信されたラックの収容部に収容されている検体の検体情報とを照合した結果を出力する出力部２４が接続されている。
【００２５】
データ記憶部２２には、検体情報、即ち、検体毎に付されている検査内容を示す検査番号、検体の受付日、検査材料等に関する情報が記憶される。この検体情報は、検体が収容されるラックのラック番号及びラックの各収容部の位置、即ち、各収容部に付された位置番号に対応させて記憶される。なお、検体情報は、検体容器に貼り付けられているバーコードラベルからバーコードリーダ６を介して、又は、検体の受付等の処理を行う基幹システムから通信制御部８を介してＰＣ４に入力される。また、検体容器に検体情報を記載したラベルが貼り付けられている等の場合には、図示しないキーボード等の入力部を介してラベルに記載された検体情報を入力するようにしてもよい。
【００２６】
図２は、第１アンテナ１０、第１ＲＦＩＤタグ１２、第２アンテナ１６、第２ＲＦＩＤタグ１８及び検体容器を収容するラック２６の配置の一例を示す図である。図２に示すように、第１ＲＦＩＤタグ１２が配置されたＲＦＩＤタグ配置部材１４と第１アンテナ１０は、所定の距離を隔てて対向するように配置される。また、検体容器を収容するラック２６は、第１アンテナ１０とＲＦＩＤタグ配置部材１４との間に配置され、ラック２６の外側面に配置されている第２ＲＦＩＤタグ１８と対向する位置に第２アンテナ１６が配置される。
【００２７】
ここで、ＲＦＩＤタグは、記憶されている情報の読み取り及び書き換えを非接触で行うことができる自動認識タグである。このＲＦＩＤタグには、電磁誘導作用を利用した電磁結合方式、静電気による誘導作用を利用した静電結合方式、電磁誘導を利用した電磁誘導方式、マイクロ波帯の電波を利用したマイクロ波方式及び赤外線等の光を利用した光方式等が存在する。
【００２８】
第１ＲＦＩＤタグ１２には、マイクロ波方式のＲＦＩＤタグが用いられる。このマイクロ波方式のＲＦＩＤタグは、２．４５ＧＨｚ帯のマイクロ波を利用して情報の送受信を行う。このマイクロ波方式のＲＦＩＤタグは、２．４５ＧＨｚという非常に高い周波数を使用しているため、外来ノイズ（雑音）による通信の影響が少ない。また、このマイクロ波方式のＲＦＩＤタグはアンテナとＲＦＩＤタグの間に液体が存在する場合には、情報の送受信を行うことができないという特性を有している。
【００２９】
また、第２ＲＦＩＤタグ１８には、電磁誘導方式のＲＦＩＤタグが用いられる。この電磁誘導方式のＲＦＩＤタグは、主に２５０ＫＨｚ以下、あるいは１３．５６ＭＨｚ帯の長・中波長の電磁波を利用する。電磁誘導方式のＲＦＩＤタグのアンテナとしてはコイルを用い、２つのコイルの誘導磁束による誘起電圧を利用して情報の送受信を行う。この電磁誘導方式のＲＦＩＤタグは、仕様が幅広く、記憶できる情報量も、数バイトのものから数百バイトのものまである。また、アンテナとＲＦＩＤタグの間に非導電体、即ち、人体、プラスチック、木材、ガラス、紙等が存在していても情報の送受信を行うことができる。
【００３０】
また、ＲＦＩＤタグには、情報を記憶するのみの読取専用型、一度に限り書き込み可能な単一書き込み／読取専用型及び書き込みと読取の双方が可能な読み書き可能型が存在する。このうち、第１ＲＦＩＤタグ１２には、読取専用型が用いられ、第２ＲＦＩＤタグ１８には、読み書き可能型が用いられる。
【００３１】
また、ＲＦＩＤタグは、使用形態に応じて様々な形状、例えば、ラベル形、コイン形、カード形等にすることができる。このうち、第１ＲＦＩＤタグ１２には、コイン形が用いられ、第２ＲＦＩＤタグ１８にはラベル形又はカード形が用いられる。
【００３２】
図３は、ＲＦＩＤタグ配置部材１４の詳細を説明するための図である。ＲＦＩＤタグ配置部材１４は、金属製の部材により構成されており、図３（ａ）に示すように、ラック２６の各収容部２８に対応して設けられた複数のＲＦＩＤタグ配置部の各々にタグ収容凹部１４ａが形成されている。このタグ収容凹部１４ａは、コイン形の第１ＲＦＩＤタグ１２を収容するために、下部が閉じた円筒状の形状を有している。また、タグ収容凹部１４ａは、ラック２６の各収容部２８に対応して、即ち、左から右方向に１０個設けられた列が前から後方に５列、合計５０個設けられている。
【００３３】
図３（ｂ）は、ＲＦＩＤタグ配置部材１４（図３（ａ））のＡ−Ａ矢視図である。この図３（ｂ）に示すように、タグ収容凹部１４ａはＲＦＩＤタグ配置部材１４の表面から所定の深さを有しており、各タグ収容凹部１４ａの底部に第１ＲＦＩＤタグ１２が収容されている。タグ収容凹部１４ａに収容された第１ＲＦＩＤタグ１２は、ラック２６の各収容部２８に付された位置番号と同一の位置番号を記憶している。即ち、ＲＦＩＤタグ配置部材１４の手前から１列目の左から右方向へ順に位置番号「０１」、「０２」、「０３」、…、を記憶しており、手前から２列目、３列目、４列目及び５列目においても左から右方向へ順に位置番号を記憶している。
【００３４】
ここで、第１ＲＦＩＤタグ１２は、金属製の部材により構成されるＲＦＩＤタグ配置部材１４に設けられたタグ収容凹部１４ａに収容されるため、垂直方向にのみ電波を送信する。即ち、各第１ＲＦＩＤタグ１２から送信される電波は、金属性の部材により水平方向への電波が遮断され、垂直方向へのみ送信される。従って、隣接する第１ＲＦＩＤタグ１２間での電波の干渉を防止することができる。
【００３５】
図４は、検体を収容しているラックの一例を示す図である。ラック２６は、ポリプロピレン等の樹脂製であり、図４に示すように検体を収容する複数の収容部２８が設けられている。このラック２６には、左から右方向に１０個の収容部２８を有する列が前から後方に５列設けられており、合計５０個の収容部２８が設けられている。
【００３６】
また、図４に示すように、ラックの外側面には、第２ＲＦＩＤタグ１８が配置されている。この第２ＲＦＩＤタグ１８は、第１アンテナ１０とＲＦＩＤタグ配置部材１４との間にラック２６を配置した際に、第２アンテナ１６に対向する。この第２ＲＦＩＤタグ１８には、ラック２６に収容されている検体の検体情報がラック２６の各収容部２８に付された位置番号に対応させて記憶される。第２ＲＦＩＤタグ１８に記憶される検体情報は、ＰＣ４に入力された後、第２アンテナ１６を介して第２ＲＦＩＤタグ１８に送信され、第２ＲＦＩＤタグ１８において記憶される。
【００３７】
位置番号は、図４に示すように、ラック２６の各収容部２８に付されている。即ち、ラック２６の前面から１列目の収容部２８には、左から右方向に「０１」、「０２」、「０３」、…と付されており、ラック２６の前面から２列目の収容部２８には、左から右方向に「１１」、「１２」、「１３」、…と位置番号が付されている。また、ラック２６の前面から３列目、４列目、５列目の収容部２８にも、同様に位置番号が付されている。
【００３８】
次に、図５のフローチャートを参照して実施の形態に係る被検出物抜き差し感知システムによる検体容器の抜き差し感知の処理について説明する。
【００３９】
なお、検体容器をラック２６に収容する際には、ラック２６に収容する検体容器に収容された検体の検体情報が、ラック２６の収容部２８に付されている位置番号に対応させて第２ＲＦＩＤタグ１８に記憶される。
【００４０】
即ち、まず、最初に検体容器をラック２６に収容する際には、各検体容器に収容された検体の検体情報がＰＣ４に入力され、データ記憶部２２に記憶される。例えば、検体容器に検体情報を記録したバーコードラベルが貼り付けられている場合には、バーコードリーダ６を介して検体情報がＰＣ４に入力される。また、検体容器に検体情報を記載したラベルが貼り付けられている場合には、図示しないキーボード等の入力部を介してラベルに記載された検体情報がＰＣ４に入力される。この時、検体情報の入力は、例えば、位置番号「０１」が付された収容部２８に収容する検体容器に収容された検体の検体情報、位置番号「０２」が付された収容部２８に収容する検体容器に収容された検体の検体情報というように、検体容器が収容されるラック２６の収容部２８に付された位置番号に対応させて行われる。また、基幹システムから送信された検体情報を通信制御部８を介して受信するようにしてもよい。なお、基幹システムにおいても、検体容器が収容されるラック２６の収容部２８に付されている位置番号に対応させて検体情報の入力が行われる。そして、入力された検体情報は、ラック２６の収容部２８に付された位置番号に対応させてデータ記憶部２２に記憶される。
【００４１】
また、記憶されている検体情報に対応する位置番号が付された収容部２８に、その検体情報の検体を収容した検体容器を収容する。例えば、位置番号「０１」に対応させて記憶された検体情報が記憶されている場合には、その検体情報の検体を収容した検体容器を、位置番号「０１」が付されたラック２６の収容部２８に収容する。
【００４２】
次に、データ記憶部２２に記憶された検体情報が第２アンテナ１６を介して第２ＲＦＩＤタグ１８に送信される。受信された検体情報は、ラック２６の外側面に配置された第２ＲＦＩＤタグ１８において、検体が収容された検体容器が収容されたラック２６の収容部２８に付されている位置番号に対応させて記憶される。即ち、ラック２６に収容された検体容器に収容された検体の検体情報が第２ＲＦＩＤタグ１８に記憶される。
【００４３】
次に、検査、再検査等の為に検体を冷蔵庫等に保管する場合等においては、図５のフローチャートに示すように検体の抜き差し感知の処理が行われる。まず、第１ＲＦＩＤタグ１２に記憶されている位置番号とラック２６の収容部２８に付された位置番号とが一致するようにラックが配置される。即ち、図２に示す場合において、位置番号「０１」が付された収容部２８が左前に位置するようにラックが配置される。そして、配置されたラック２６の外側面に配置された、第２ＲＦＩＤタグ１８から送信された検体情報を第２アンテナ１６を介して受信する（ステップＳ１０）。即ち、ラック２６の収容部２８に収容された検体容器に収容された検体の検体情報を受信する。なお、受信された検体情報は、データ記憶部２２に記憶される。
【００４４】
次に、第１ＲＦＩＤタグ１２から第１アンテナ１０を介して送信される位置情報を受信する（ステップＳ１１）。即ち、第１ＲＦＩＤタグ１２に記憶されているラック２６の各収容部２８に付されている位置番号を受信する。ここで、マイクロ波方式の第１ＲＦＩＤタグ１２は、第１ＲＦＩＤタグ１２と第１アンテナ１０との間に液体が存在する場合には位置情報の送信が遮断される。従って、ラック２６の中で検体を収容した検体容器が収容されていない収容部２８の位置番号のみが受信される。なお、受信された位置情報は、データ記憶部２２に記憶される。
【００４５】
次に、ステップＳ１０において受信された検体情報とステップＳ１１において受信された位置情報とを照合する（ステップＳ１２）。即ち、検体情報が記憶されていない位置番号と、検体容器が収容されていない収容部２８の位置番号との照合を行う。
【００４６】
検体情報と位置情報との照合が一致した場合には（ステップＳ１３）、照合結果を出力する（ステップＳ１４）。即ち、検体情報が記憶されている位置番号の収容部２８に、検体容器が収容されている旨を出力部２４を介して出力する。なお、出力部２４は、ＬＣＤ、プリンタ等により構成されている。
【００４７】
一方、検体情報と位置情報との照合が不一致となった場合には（ステップＳ１３）、照合が不一致となった検体情報及び位置情報を特定する（ステップＳ１５）。即ち、検体容器が収容されているはずの収容部２８の位置番号、即ち、検体情報が記憶されているにも拘らず、検体容器が収容されていない収容部２８の位置番号を特定する。また、検体容器が収容されていないはずの収容部２８の位置番号、即ち、検体情報が記憶されていないにも拘らず、検体容器が収容されている収容部２８の位置番号を特定する。
【００４８】
次に、検体の抜き差し指示、即ち、検体の抜き取り指示又は検体の差し込み指示がデータ記憶部２２に記憶されているか否かを判断する（ステップＳ１６）。即ち、検体情報が記憶されていない位置の収容部２８に、新たな検体を保管のための検体の等の差し込み指示が出されているか否かを判断する。また、検体情報が記憶されている位置の収容部２８に収容されていた検体に、廃棄のための抜き取り指示が出されているか否かを判断する。
【００４９】
ここで、検体の抜き差し指示、即ち、検体の抜き取り又は検体の差し込みの指示は、検査の管理等の処理を行う基幹システムから通信制御部８を介して送信され、データ記憶部２２に記憶される。また、検体の抜き差し指示を記載した書面に基づいて、図示しないキーボード等の入力部を介して入力され、データ記憶部２２に記憶されるようにしてもよい。
【００５０】
検体の抜き差し指示が出されていない場合には（ステップＳ１６）、検体の抜き取りミス又は検体の差し込みミスが発生した旨の警告を出力部２４を介して出力する（ステップＳ１７）。即ち、抜き取り指示が出されていないにも拘らず、検体容器が収容されているはずの収容部２８に検体容器が収容されていない旨の警告を出力する。また、差し込み指示が出されていないにも拘らず、検体容器が収容されていないはずの収容部２８に検体容器が収容されている旨の警告を出力する。また、警告と共に、ステップＳ１５において特定された収容部２８の位置番号を出力する。
【００５１】
一方、検体の抜き差し指示が出されている場合には（ステップＳ１６）、抜き差し指示とステップＳ１５において特定された位置番号との照合を行う（ステップＳ１８）。即ち、抜き取りを指示された検体を収容した検体容器が収容されていた収容部２８の位置番号と、ステップＳ１５において特定された検体容器が収容されていない収容部２８の位置番号との照合が行われる。また、差し込みを指示された検体を収容した検体容器が収容される収容部２８の位置番号と、ステップＳ１５において特定された検体容器が収容されている収容部２８の位置番号との照合が行われる。
【００５２】
抜き差し指示と、ステップＳ１５において特定された位置番号との照合が不一致となった場合には（ステップＳ１９）、抜き取られた検体が誤っている旨又は誤った収容部２８に検体が差し込まれている旨の警告を出力部２４を介して出力する（ステップＳ１７）。なお、警告と共に、ステップＳ１５において特定された収容部２８の位置番号を出力する。
【００５３】
一方、抜き差し指示とステップＳ１５において特定された位置番号との照合が一致した場合には（ステップＳ１９）、照合が一致した旨の照合結果を出力部２４に出力する（ステップＳ２０）。
【００５４】
次に、検体情報を更新し、更新された検体情報を第２アンテナ１６を介して送信する（ステップＳ２１）。例えば、抜き取られた検体の検体情報を削除、又は、差し込まれた検体の検体情報を追加することにより、更新された検体情報を第２ＲＦＩＤタグ１８に送信し、更新された検体情報を第２ＲＦＩＤタグ１８に記憶させる。
【００５５】
この発明の実施の形態に係る被検出物抜き差し感知システムによれば、検体を収容した検体容器が収容されていないラックの収容部に付された位置番号が第１ＲＦＩＤタグから、ラックに収容された検体容器に収容された検体の検体情報が第２ＲＦＩＤタグからそれぞれ送信される。そして、送信された位置番号と検体情報とが照合される。従って、ラックに収容されている検体の抜き取り及び差し込みを適切に感知することができ、ラックに収容されている検体の保管、返却等の管理をスムーズに行うことができる。
【００５６】
また、第１ＲＦＩＤタグから送信された位置番号に対応させて検体情報が記憶されている場合には、検体の抜き取りが行われたことを感知し、検体の抜き取り指示の有無を確認しているため、検体の抜き取りミスを適切に防止することができる。
【００５７】
また、第１ＲＦＩＤタグから送信されていない位置番号に対応させて、検体情報が記憶されていない場合には、検体の差し込みが行われたことを感知し、検体の差し込み指示の有無を確認しているため、検体の混入を適切に防止することができる。
【００５８】
また、第１ＲＦＩＤタグを用いてラックの各収容部における検体が収容された検体容器の有無を検出すると共に、ラックの外側面に設置された第２ＲＦＩＤタグに記憶された検体情報との照合により検体の抜き差しを感知している。従って、検体の抜き差しを的確に検出することができる被検出物抜き差し感知システムを、容易かつ低コストで設置することができる。
【００５９】
なお、上述の実施の形態に係る被検出物抜き取り感知システムにおいては、検体の抜き差し指示を記憶しているが、照合結果と共に検体の抜き差しが行われた時刻及び担当者の氏名等を記憶するようにしてもよい。例えば、担当者の氏名を記録したバーコードを用意し、検体の抜き差しを行う際にバーコードリーダを介して担当者の氏名を入力する。その後、検体の抜き差しを行い、その直後に被検出物抜き差し感知システムにおいて検体の抜き差し感知の処理を行う。この際に、被検出物の抜き差し感知の処理を行った時刻、照合結果を担当者の氏名に対応させて記憶してもよい。この場合に、記憶された情報を後において検体の抜き差しが行われた時刻及び担当者を容易に確認する資料として用いることができる。
【００６０】
また、上述の実施の形態に係る被検出物抜き差し感知システムを、ラックの収容部における検体を収容した検体容器の有無を感知する被検出物感知システムとして用いてもよい。即ち、ＰＣ４に第１アンテナ１０が接続されており、この第１アンテナ１０と所定の距離を隔てて対向する位置にＲＦＩＤタグ配置部材１４を配置する。このＲＦＩＤタグ配置部材１４には、ＲＦＩＤタグ配置部にタグ収容凹部１４ａが形成され、このタグ収容凹部１４ａに第１ＲＦＩＤタグ１２が配置されている。ここで、第１ＲＦＩＤタグ１２は、ＲＦＩＤタグ配置部のラック上における位置情報、即ち、ラック２６の収容部２８に付された位置番号と同一の位置番号が記憶されている。そして、第１アンテナ１０と第１ＲＦＩＤタグ１２の間に、位置番号「０１」が付された収容部２８が左前に位置するようにラック２６を配置することによって、ラック２６の収容部２８に検体を収容した検体容器が収容されているか否かを検出することができる。従って、ラック２６の収容部２８における検体を収容した検体容器の有無を感知する被検出物感知システムとして用いてもよい。
【００６１】
また、上述の実施の形態に係る被検出物抜き差し感知システムにおいては、検体が収容された検体容器の抜き差しを感知しているが、検体以外のものを収容した容器の抜き差しを感知するようにしてもよい。例えば、飲料水等を収容したペットボトル、アルコール等を収容したビンの抜き差しを感知するようにしてもよい。
【００６２】
【発明の効果】
この発明の被検出物感知システムによれば、ラックの各収容部の位置と各ＲＦＩＤタグ配置部のラック上における位置情報とが一致するように、ＲＦＩＤタグとアンテナの間に被検出物を収容したラックを配置することにより、被検出物の有無を検出することができる。即ち、ラックの収容部に被検出物が収容されている場合には、被検出物の存在によりＲＦＩＤタグからの位置情報の送信が遮断される。一方、ラックの収容部に被検出物が収容されていない場合には、ＲＦＩＤタグからの位置情報の送信が遮断されない。そのため、ラックの収容部における被検出物の有無を確実に検出することができ、被検出物が存在するか否かの確認を目視によることなくスムーズに行うことができる。
【００６３】
また、この発明の被検出物抜き差し感知システムによれば、第１アンテナを介して受信された第１ＲＦＩＤタグからの位置情報と、ラックの各収容部に収容されている被検出物の被検出物情報とを照合することによって被検出物の抜き差しを感知している。即ち、被検出物が収容されていないラックの収容部が存在する場合に、そのラックの収容部の位置に対応させて被検出物情報が記憶されている場合には、被検出物の抜き取りが行われたことを感知することができる。また、ラックの収容部の位置に対応させて被検出物情報が記憶されていない場合に、そのラックの収容部に被検出物が収容されている場合には、被検出物の差し込みが行われたことを感知することができる。そのため、ラックの収容部に収容されている被検出物のうち、抜き取られた被検出物及び差し込まれた被検出物を確実に感知し、被検出物の抜き取り又は差し込みミスを適切に防止すると共に、被検出物の保管及び管理等をスムーズに行うことができる。
【００６４】
また、２つのＲＦＩＤタグを組み合わせることによって被検出物の抜き差しを感知することができるため、被検出物の抜き差しを感知する被検出物抜き差し感知システムを、低コストでかつ容易に設置することができる。
【図面の簡単な説明】
【図１】この発明の実施の形態に係る抜き差し感知システムのブロック構成図である。
【図２】この発明の実施の形態に係る第１ＲＦＩＤタグ、第１アンテナ、第２ＲＦＩＤタグ、第２アンテナ及びラックの配置の一例を示す図である。
【図３】この発明の実施の形態に係るＲＦＩＤタグ配置部材を説明するための図である。
【図４】この発明の実施の形態に係るラックを説明するための図である。
【図５】この発明の実施の形態に係る被検出物の抜き差し感知の処理を説明するためのフローチャートである。
【符号の説明】
２…被検出物抜き差し感知システム、４…ＰＣ、６…バーコードリーダ、８…通信制御部、１０…第１アンテナ、１２…第１ＲＦＩＤ、１４…ＲＦＩＤタグ配置部材、１４ａ…タグ収容凹部、１６…第２アンテナ、１８…第２ＲＦＩＤタグ、２０…データ処理部、２２…データ記憶部、２４…出力部、２６…ラック、２８…収容部。
【図１】
2004028595.tif 000003
【図２】
2004028595.tif 000004
【図３】
2004028595.tif 000005
【図４】
2004028595.tif 000006
【図５】
2004028595.tif 000007